(57)【要約】【課題】  素子付きフィルム基板に関し、フィルム基板の撓みを抑制して、素子の位置ずれを防止できるようにすることを目的とする。【解決手段】  段差部１１を有する固定部１０に固定される素子付きフィルム基板２２であって、段差部１１に対応する部分にスリット２４ａを設ける等によって段差部１１に対応する部分の剛性を他の部分よりも低くすることにより、素子付きフィルム基板２２を段差部１１に沿って配置させることができるようにする。【選択図】        図１
2005286110.tif 000002
【特許請求の範囲】
【請求項１】
段差部を有する固定部に固定される素子付きフィルム基板であって、
前記段差部に対応する部分が他の部分よりも剛性が低い
ことを特徴とする、素子付きフィルム基板。
【請求項２】
前記段差部に対応する部分にスリットが設けられている
ことを特徴とする、請求項１記載の素子付きフィルム基板。
【請求項３】
前記スリットは、前記段差部の延在方向の中間部に少なくとも１つ設けられ、
前記段差部に対応する部分における前記段差部の延在方向の両端縁部に切り欠きが設けられている
ことを特徴とする、請求項２記載の素子付きフィルム基板。
【請求項４】
前記素子は、前記切り欠きが設けられている両端縁部よりも内側に設けられている
ことを特徴とする、請求項３記載の素子付きフィルム基板。
【請求項５】
前記段差部に対応する部分が他の部分よりも剛性の低い材料で構成されている
ことを特徴とする、請求項１記載の素子付きフィルム基板。
【発明の詳細な説明】
【技術分野】
【０００１】
本発明は、自動車等に用いられる素子付きフィルム基板に関するものである。
【背景技術】
【０００２】
例えば、自動車の車室内には、インストルメントパネルやセンターコンソールやヘッドコンソールやドアのインナパネル等には、各種スイッチ類や各種メータ類といった数多くの電装部品が取り付けられる。これらの電装部品には、折り曲げ可能なフィルム基板に複数のＬＳＩチップやコンデンサといった素子を実装した、素子付きフィルム基板が用いられたものがある。
【０００３】
この素子付きフィルム基板としては、一般には、銅箔等をエッチングして形成した回路を樹脂フィルム間にサンドイッチ状に積層した、極めて可撓性に富むプリント基板が用いられている。このような可撓性に富む素子付きフィルム基板の場合、車両側の固定部（固定する対象となる部分）の形状に合わせてフィルム基板を折り曲げて装着することができるので、固定部に段差があってもこれに沿って装着することが可能である。
【０００４】
こうしたフィルム基板を固定部に固定する技術としては、例えば特許文献１に記載の技術がある。この技術では、樹脂フィルムに柔軟な導線回路を積層してなり、樹脂成形品に埋設される可撓性回路板の少なくとも一方の面に、その回路板が樹脂成形品の所定深さ位置に埋設されたときその成形品の表面に露出するだけの高さを有し、その回路板に保形性を与える突条が、一体的に設けられている。この突起により、その剛性が高められ、大形のものであっても平板状に保つことができる。
【特許文献１】実登第２５１０４３６公報
【発明の開示】
【発明が解決しようとする課題】
【０００５】
ところで、上述のような素子付きフィルム基板を段差がある固定部に沿って装着する場合、フィルム基板の撓みが発生する場合が多い。
例えば、例えば図５（ａ），（ｂ）に示すように、段差部１１ａがある固定部１１に沿ってスイッチ接点付きの素子１３ａ，１３ｂを有するフィルム基板１２を装着しようとする場合、フィルム基板１２のフィルム自身の剛性によって、フィルム基板１２の段差部１１ａ近傍の部位が浮き上がったりして、素子１３ａ，１３ｂのスイッチ接点が、外装されるパネル１４のスイッチボタン１５ａ，１５ｂに対してずれを生じることがある。こうなると、スイッチボタン１５ａ，１５ｂの接触フィーリングが低下するだけでなく、接点自体が適切に開閉しない虞もある。
【０００６】
したがって、このような素子のあるフィルム基板を段差部がある固定部に沿って装着する場合には、フィルム基板の撓みを抑制して、素子の位置ずれを防止できるようにすることが特に重要になる。
本発明はこのような課題に鑑み案出されたもので、フィルム基板の撓みを抑制して、素子の位置ずれを防止できるようにした、素子付きフィルム基板を提供することを目的とする。
【課題を解決するための手段】
【０００７】
上記目標を達成するため、本発明の素子付きフィルム基板は、段差部を有する固定部に固定される素子付きフィルム基板であって、前記段差部に対応する部分が他の部分よりも剛性が低いことを特徴としている（請求項１）。
前記段差部に対応する部分にスリットが設けられていることが好ましい（請求項２）。
前記スリットは、前記段差部の延在方向の中間部に少なくとも１つ設けられ、前記段差部に対応する部分における前記段差部の延在方向の両端縁部に切り欠きが設けられていることが好ましい（請求項３）。
【０００８】
さらに、前記素子は、前記切り欠きが設けられている両端縁部よりも内側に設けられていることが好ましい（請求項４）。
また、前記段差部に対応する部分が他の部分よりも剛性の低い材料で構成されていることが好ましい（請求項５）。
【発明の効果】
【０００９】
本発明の素子付きフィルム基板によれば、素子付きフィルム基板の段差部に対応する部分が他の部分よりも剛性が低いので、素子付きフィルム基板を、段差部を有する固定部に固定する際に、フィルム基板が段差部の形状に沿って変形しやすくなる。この結果、フィルム基板の素子の位置ずれが抑制されるようになる（請求項１）。
前記段差部に対応する部分にスリットが設けられていれば、段差部を有する固定部に固定する際に、段差部に対応する部分にスリットが設けられているので、フィルム基板の段差部に対応する部分の剛性が低められて、フィルム基板が段差部の形状に沿って変形しやすくなる。この結果、フィルム基板の素子の位置ずれが抑制されるようになる（請求項２）。
【００１０】
また、前記スリットは、前記段差部の延在方向の中間部に少なくとも１つ設けられ、前記段差部に対応する部分における前記段差部の延在方向の両端縁部に切り欠きが設けられていることにより、フィルム基板の段差部に対応する部分の剛性がより有効に低められて、フィルム基板が段差部の形状に沿ってより変形しやすくなって、フィルム基板の素子の位置ずれがさらに抑制されるようになる（請求項３）。
【００１１】
前記素子を、前記切り欠きが設けられている両端縁部よりも内側に設けることにより、素子の位置ずれをより確実に抑制することができる（請求項４）。
また、素子付きフィルム基板の段差部に対応する部分を、他の部分よりも剛性の低いが低い材料で構成することにより、素子付きフィルム基板を、段差部を有する固定部に固定する際に、フィルム基板が段差部の形状に沿って変形しやすくなる。この結果、フィルム基板の素子の位置ずれが抑制されるようになる（請求項５）。
【発明を実施するための最良の形態】
【００１２】
以下、図面により、本発明の実施の形態について説明する。
図１〜図４は本発明の一実施形態に係る素子付きフィルム基板を示すもので、図１（ａ）はその平面図、図１（ｂ）はその取付状態を示す斜視図，図２はその取付状態を示す断面図、図３はその効果を説明する図、図４はその変形例を示す平面図である。
本実施形態にかかる素子付きフィルム基板２２は、図１（ｂ）に示すように、例えば、自動車の車室内におけるインストルメントパネルやセンターコンソールやヘッドコンソールやドアのインナパネル等の取付部１０であって、段差部１１を有する取付部１０に取り付けられる。なお、ここでは、左右対称に２つの段差部１１，１１をそなえているが、段差部の数は限定されない。
【００１３】
このフィルム基板２２には、その各段差部１１に対応する箇所に、図１（ａ）,（ｂ）に示すように、スリット２４ａ及び切り欠き２５ａ，２５ｂが形成されている。
つまり、取付部１０は、段差部１１を挟んで、低位平面部１０ａ,１０ｂと高位平面部１０ｃとがそなえられ、フィルム基板２２には、その両端部［図１（ａ）中、上下両端部］に、低位平面部１０ａ,１０ｂに配置される低位対応部２２ａ,２２ｂが設けられ、その中間部［図１（ａ）中、上下中間部］の両低位平面部１０ａ,１０ｂ間に、高位平面部１０ｃに配置される高位対応部２２ｃが設けられている。
【００１４】
そして、低位対応部２２ａ，２２ｂと高位対応部２２ｃとの間には、段差部１１に配置される段差対応部２２ｄが設けられ、段差対応部２２ｄの両端部［図１（ａ）中、左右両端部］には、切り欠き２５ａ，２５ｂが設けられ、段差対応部２２ｄの中間部［図１（ａ）中、左右中間部］には、スリット２４ａが設けられている。したがって、段差対応部２２ｄには、低位対応部２２ａ,２２ｂと高位対応部２２ｃとを接続する、一対の幅狭の接続部２６ａ，２６ｂのみが設けられている。
【００１５】
なお、スリット２４ａも切り欠き２５ａ，２５ｂも段差部１１の長手方向に延びた切り欠きであるが、一端が開口した切り欠きについては単に「切り欠き」と呼び、周囲に開口のない閉じた切り欠きについては「スリット」と呼ぶ。
そして、素子２３ａ〜２３ｉ（以下、各素子を区別しない場合は、符号２３で示す）は、低位対応部２２ａ，２２ｂと高位対応部２２ｃとにそれぞれ設けられているが、ここでは何れの素子２３もフィルム基板２２の所定の幅方向位置［図１（ａ）中、左右方向位置］、即ち、スリット２４ａの形成された部位に対応した位置（符号Ｗ１で示す領域内）に配置されている。
【００１６】
また、このようなフィルム基板２２は、ビス等によって取付部１０に取り付けられるが、このフィルム基板２２の表側には、図２に示すようにパネル１４が装着される。ここでは、各素子２３は、スイッチ端子を備えたスイッチ素子となっており、パネル１４の各素子２３に対応する箇所には、スイッチボタン１５ａ〜１５ｃが設けられており、スイッチボタン１５ａ〜１５ｃを押すと対応するスイッチ素子２３が閉成し、スイッチボタン１５ａ〜１５ｃを離すと閉成していた対応するスイッチ素子２３が開成するようになっている。
【００１７】
本発明の一実施形態にかかる素子付きフィルム基板は上述のように構成されており、フィルム基板２２の段差部１１に対応する箇所（段差対応部２２ｄ）には、スリット２４ａ及び切り欠き２５ａ，２５ｂが設けられているので、フィルム基板２２の段差部１１に対応する箇所（特に、段差部１１の上下の屈曲部）の剛性が低下され、フィルム基板２２を段差形状に沿って容易に屈曲させることができる。
【００１８】
これによって、フィルム基板２２の段差部１１に隣接する部位（低位対応部２２ａ,２２ｂ，高位対応部２２ｃ）はこの段サブ１１を含む取付部１０の表面に沿って装着されることになり、フィルム基板２２の取付部１０の表面からの浮き上がりが抑制され、各素子２３の位置ずれも抑制される。
さらに、本実施形態では、何れの素子２３ａ〜２３ｉも、スリット２４ａの形成された部位に対応した位置（符号Ｗ１で示す領域内）に配置されているので、素子２３の位置ずれが一層抑制される。つまり、フィルム基板２２の段差部１１に対応する箇所には、スリット２４ａ及び切り欠き２５ａ，２５ｂが設けられているので、剛性が低下するが、フィルム基板２２の切り欠き２５ａ，２５ｂに隣接する部位には、図３に示すように自由端部分２７が発生する。この自由端部分２７は、周囲の応力状態によっては、取付部１０の表面から浮き上がる（符号Ｆ参照）虞がある。もしもこの部分２７に素子を配置する（二点差線を参照）と、この浮き上がりＦによって素子２３に位置ずれが生じる虞がある。しかし、ここでは、何れの素子２３ａ〜２３ｉも、この自由端部分２７を避けるように、スリット２４ａの形成された部位に対応した位置（符号Ｗ１で示す領域内）に配置されているので、各素子２３の位置ずれが確実に抑制されるのである。
【００１９】
なお、ここでは、各素子２３の位置ずれをより確実に抑制するために、各素子２３も、スリット２４ａの形成された部位に対応した位置（符号Ｗ１で示す領域内）に配置しているが、各素子２３を接続部２６ａ，２６ｂが形成されている部位を含む領域内（符号Ｗ２で示す領域内）に、換言すると、切り欠き２５ａ，２５ｂが設けられている両端縁部よりも内側の部位に，配置しても一定の効果を期待できる。
【００２０】
このようにして、固定部１０に対する素子２３の位置ずれが抑制されるので、スイッチボタン１５ａ，１５ｂの接触フィーリングを良好なものにでき、スイッチの接点の開閉も適切に行なうことができるようになる。
【００２１】
以上、本発明の実施形態を説明したが、本発明はかかる実施形態に限定されるものではなく、本発明の趣旨を逸脱しない範囲で種々変形して実施することができる。
例えば、本素子付きフィルム基板は、段差部１１に対応する個所に、少なくともスリットを設ければ、フィルム基板を段差部１１にある程度沿わせることができ、図４（ａ）に示す基板３２ａのように、切り欠きを省略しスリット２４ｂのみを設けることも考えられる。
あるいは、素子付きフィルム基板における段差部１１に対応した個所を、スリットや切り欠き以外の手段によって他の部分よりも剛性を低くするようにしてもよい。具体的には、この部分を他の部分よりも剛性の低い材料で構成したり、或いは、この部分を他の部分よりも薄肉化したりすることも考えられる。
【００２２】
また、スリットの数も限定されるものではなく、図４（ｂ）に示す基板３２ｂのように、複数（ここでは２つ）のスリット２４ｃ，２４ｄを設けるようにしてもよい。さらに、スリットや切り欠きは、段差部１１に対応して設ければよく、段差部１１が１つだけであれば、図４（ｃ）に示す基板３２ｃのように、スリットや切り欠きも１組だけ設ければよい。
【００２３】
また、自由端部分２７を避けるような素子２３の配置も、必要に応じて行なえばよく、例えば、微小な位置ずれが問題にならない素子については自由に配置すればよい。また、一部に、微小な位置ずれが問題になる阻止があれば、これについてのみ、所定の領域内（符号Ｗ１で示す領域内或いは符号Ｗ２で示す領域内）に配置するようにすればよい。
また、素子２３としては、スイッチ素子に限らず適用できる。
【００２４】
さらに、段差部１１として取付部１０の基準面（低位平面部１０ａ,１０ｂ，高位平面部１０ｃの各平面）に直角なものを示したが、段差部１１が取付部１０の基準面に対して直角以外に傾斜したものに適用しても良い。
【図面の簡単な説明】
【００２５】
【図１】本発明の一実施形態にかかる素子付きフィルム基板を示す図であって、（ａ）はその平面図、（ｂ）はその取付状態を示す斜視図である。
【図２】本発明の一実施形態にかかる素子付きフィルム基板の取付状態を示す断面図である。
【図３】本発明の一実施形態にかかる素子付きフィルム基板による効果を説明する図である。
【図４】本発明の一実施形態にかかる素子付きフィルム基板の変形例を示す平面図であって、（ａ）は第１変形例を示し、（ｂ）は第２変形例を示し、（ｃ）は第３変形例を示す。
【図５】本発明の課題に関する、素子付きフィルム基板の固定部への取付形態を示す図であって、（ａ）はその斜視図、（ｂ）はその断面図である。
【符号の説明】
【００２６】
１０  取付部
１１  段差部
１４  パネル
１５ａ〜１５ｃ  スイッチボタン
２２，３２ａ〜３２ｃ  素子付きフィルム基板
２３，２３ａ〜２３ｉ  素子
２４ａ〜２４ｄ  スリット
２５ａ，２５ｂ  切り欠き
【図１】
2005286110.tif 000003
【図２】
2005286110.tif 000004
【図３】
2005286110.tif 000005
【図４】
2005286110.tif 000006
【図５】
2005286110.tif 000007